(57)【特許請求の範囲】
【請求項１】
樹木を形質転換して樹木の繊維の特性を改良する方法であって、
前記方法は、
プロモーターと、樹木の高さおよび／または節間長を改良することができるエクスパンシン遺伝子をコードする核酸コード配列とを含むキメラ遺伝子を樹木のゲノムに安定に組み込ませることと、
改変したゲノムを有する植物を再生することを含み、
前記核酸配列は、本明細書中でキュウリＥｘ２９（配列番号９：ＧｅｎＢａｎｋアクセッション番号Ｕ３０３８２）として知られるキュウリエクスパンシン配列であり、
前記核酸配列がセンス方向で配置され、節間長および／または植物の高さが低下される、方法。
【請求項２】
前記核酸配列はキュウリに由来する、請求項１に記載の方法。
【請求項３】
前記核酸配列は、ｃＤＮＡ配列またはゲノムＤＮＡである、請求項１又は請求項２に記載の方法。
【請求項４】
前記キメラ遺伝子はターミネーターをさらに含む、請求項１〜３の何れか１項に記載の方法。
【請求項５】
前記キメラ遺伝子は、前記核酸配列が天然で存在するように、イントロンと共にまたは無しで、内因性プロモーター、ターミネーター、および他の調節配列が全てそろった前記核酸コード配列を含む、請求項１〜４の何れか１項に記載の方法。
【請求項６】
前記キメラ遺伝子は、イントロンと共にまたは無しで、異種プロモーター、ターミネーター、および／または他の調節配列と組み合わされた前記核酸コード配列を含む、請求項１〜５の何れか１項に記載の方法。
【請求項７】
前記プロモーターは、カリフラワーモザイクウイルス３５Ｓプロモーター（ＣａＭＶ３５Ｓ）、カリフラワーモザイクウイルス１９Ｓプロモーター（ＣａＭＶ１９Ｓ）、ノパリン合成酵素プロモーター、ｒｏｌＣ、パタチンまたはｐｅｔＥプロモーター、ＡｌｃＲ／ＡｌｃＳプロモーター、あるいは繊維関連プロモーターからなる群の１つである、請求項１〜６の何れか１項に記載の方法。
【請求項８】
前記核酸配列またはその一部は、正常なリーディングフレーム方向で配置されている、請求項１〜７の何れか１項に記載の方法。
【請求項９】
前記樹木がユーカリノキ、アスペン、マツ、またはカラマツである、請求項１〜８の何れか１項に記載の方法。
【請求項１０】
請求項１〜９のいずれか１つに記載の方法によって形質転換された樹木。
【請求項１１】
前記樹木は、ユーカリノキ、アスペン、マツ、またはカラマツである、請求項１０に記載の樹木。
【請求項１２】
請求項１〜９のいずれか１つに記載の方法によって形質転換された樹木の種子。
【発明の詳細な説明】
【０００１】
本発明は、植物繊維細胞の形態の改良に関する。本発明は、遺伝子構築物を使用して、限定はしないが、例えば特に、ユーカリノキの繊維を改良する方法により例示される。
【０００２】
林業の主生産物は木材であると考えられるが、より根本的には繊維であると定義することができる。林業は、様々な製品を製造する無垢材業者およびパルプ／製紙業者に広範囲の原材料を供給する。従って、林業者はこれらの産業の競合する要求に応えるよう努める。個々の産業内でさえも広範囲の異なる要求がある。例えば、紙のグレードが異なれば、出発材料に必要とされる品質は異なる。
【０００３】
林業運営は、林業者が加工業者に特定の性質を有する繊維を供給する能力と、加工業者が工程を改善し、そのため使用可能な原材料に対応する能力とのバランスによって決まる。加工計画の設計および運営は、原材料の木材（繊維）性質により影響される。
【０００４】
これらの特定の需要にもかかわらず、繊維の均一性および強度は、大多数の産業用途に共通する要件である。従って、林業者により供給される繊維は、これらの性質を加工業者に提供することができなければならない。
【０００５】
パルプ製造では、例えば、強度特性は、繊維長によりある程度決定される。繊維長が長くなると、強度が増した紙が製造される。結合強さは、繊維間の接触と、繊維長、外周部、およびきめの粗さによって決まる表面接着能力とに起因すると考えられる。また、製造工程間に繊維長を長くするとウェットウエブ（ｗｅｔ  ｗｅｂ）強度が増し、容易に取り扱うことができる（Ｓｅｔｈ，１９９５）。
【０００６】
しかしながら、長い繊維は、全ての用途で望ましいというわけではない。平滑な表面の紙の製造など、短い繊維が好ましい場合もある。
【０００７】
繊維の性質は種間で異なり、結果として、歴史的に特定の種が特定の用途に限られてきた。一般に、硬材種の繊維は軟材の繊維よりかなり短い。このために、平滑性および輝度などの望ましい表面特性を有するが、強度特性が低いパルプおよび紙が製造される。実際に、特性の適切な組み合わせを有する繊維が得られる単一種が入手可能でなかった場合、異なる種に由来する長い繊維と短い繊維の混合物が用いられる。望ましい特性と最適な繊維長を有する単一供給源が利用可能であれば、加工業者に非常に有益であろう。いくつかの普通種およびそれらの繊維長を以下の表１に例示する。
【表１】
0005030330.tif 000002
【０００８】
ユーカリノキ樹木は、製紙業において全世界で使用される最大の繊維供給源であり（Ｂａｍｂｅｒ  １９８５；Ｒａｎａｔｕｎｇａ，１９６４）、世界中でユーカリノキが植えられた土地は推定１千〜５千万ヘクタールである（ＶｅｒｈａｅｇｅｎおよびＰｌｏｍｉｏｎ  １９９６）。ユーカリノキの主な利点は成長速度が非常に速く、熱帯と温帯との広範囲の条件で成長できることである。
【０００９】
しかしながら、ユーカリノキの繊維は、かつて人気のあった他の繊維供給源（例えば、マツ）の繊維より著しく短い。従って、ユーカリノキパルプから製造される紙はしばしば弱く、通常、他の供給源のより長い繊維を用いた強化を必要とし、製造費が高くなる。長い繊維を有する樹木を生産することができれば、パルプおよび紙合成用の原材料の品質は向上し、製紙業にかなり有利であろう。
【００１０】
樹木育種により、繊維の特徴をいくらか改良することは可能である。例えば、親種より繊維が長い、種間３倍体ハイブリッドアスペンが開発されている。
【００１１】
繊維性質の遺伝的変化はまた種内で明らかである。繊維の特徴は一組の複雑な遺伝的要因により制御され、古典的育種法に容易に従わない。従って、既存の遺伝的変化は、樹木育種プログラムにおいてあまり活用されていなかった。現在、木材性質の遺伝率に関する情報が蓄積されているが、以前では、成長特性ほど重要であるとみなされたことはあまりなく、時として、後者を得ようとして犠牲にされた。成長速度は繊維特性と負の相関関係する場合もあるが、これは常に当てはまるとは限らず（例えば、ユーカリノキ）、両方の利益を得るために育種の努力が現在なされている。
【００１２】
多くの場合、繊維の性質は最終製品に十分であり、改良は不必要であると考えられている。例えば、２ｍｍ以上に繊維長を長くすると、引裂強さまたは引張強さはほとんど増加しない。多くの軟材繊維は一般に約３ｍｍ長であり、すなわち望ましい強度のための最低値より長い。しかしながら、幼木の繊維はより短い傾向があり、回転期間の縮小により若い材料の使用量が増加している。従って、一般に長い繊維を生じる種でさえも改良の余地がある。
【００１３】
パルプおよび製紙業の立場から、繊維は、全内容物と大部分の非セルロース壁成分を除去するために広範囲の処理にかけられた特定の型の植物細胞壁である（Ｓｔｅｗａｒｔら，１９９４）。木本では、繊維は、死んだ細胞壁の材料からできている。より長い繊維を産生するためには、繊維形成前の成長間に、より長い生細胞を有する必要がある。
【００１４】
細胞壁は、マトリックスポリマーとの非共有結合相互作用により結合したセルロースミクロフィブリルの複雑なネットワークと考えることができる（ＣａｒｐｉｔａおよびＧｉｂｅａｕｔ，１９９３）。このミクロフィブリルは、ミクロフィブリル表面と広範囲な水素結合相互作用を形成するヘミセルロース混合物によりコートされる。大部分がイオン結合により結合される様々なペクチンから形成される別のネットワークが、これと同じ広がりをもつ（ＭｃＱｕｅｅｎ−Ｍａｓｏｎ，１９８５）。
【００１５】
細胞が成長および拡大するためには、壁成分が緩くなって、マトリックス内の多糖およびタンパク質をすべらすことができなければならない（Ｃｏｓｇｒｏｖｅ，１９９３）。次いで、かなりの細胞内膨圧により、細胞が伸長する。細胞成長間の伸長の程度は、細胞壁フィブリルおよび構造ポリマーの組成および配向から生じる、細胞壁の機械的性質により制御される。
【００１６】
細胞壁伸長の制御は、成長制御および形態形成を容易にするために植物により密接に調節される。成長の最終的な作用物質は、細胞壁それ自体に位置する酵素である。植物が、細胞壁において細胞壁を「緩める」酵素を発現するのであれば、これらの酵素が細胞成長を調節することができると思われる。発現レベルの変化により、細胞成長および繊維長が増加または減少することができる。細胞壁構造もまた変化し得る。
【００１７】
細胞壁タンパク質の１つのクラスはエクスパンシンである。エクスパンシンは植物細胞壁の伸長を誘導し、証明された細胞壁を緩める活性を有すると現在報告されている唯一のタンパク質である。エクスパンシンは、ＭｃＱｕｅｅｎ−Ｍａｓｏｎら（１９９２）によりキュウリ胚軸細胞壁から最初に単離され、インビトロ流動学的アッセイにおいて、細胞壁を緩めるのを触媒する能力により特徴付けられた。
【００１８】
エクスパンシンの作用機序は、セルロースとヘミセルロースとの間の非共有結合を弱め、その結果、それらのポリマーが細胞壁内で互いに滑り込むことによると考えられる（Ｃｏｓｇｒｏｖｅ  １９９６）。エクスパンシンの正確な生化学的作用は明らかではないが、その効果は、エキソグリカナーゼ（ｅｘｏｇｌｙｃａｎａｓｅ）またはキシログルカンエンドトランスグリコシラーゼ活性によるものではないことが知られている（ＭｃＱｕｅｅｎ−Ｍａｓｏｎら，１９９２、ＭｃＱｕｅｅｎ−ＭａｓｏｎおよびＣｏｓｇｒｏｖｅ，１９９３）。エクスパンシンは、セルロースミクロフィブリルとヘミセルロースとの水素結合を破壊すると思われる。このプロセスにより、これらのポリマーを分解することもなく、伸長間に細胞壁構造を完全に弱めることもなく細胞壁を緩めることができる。この機構と一致して、エクスパンシンはセルロースでできた紙を弱めることが示されている。この紙は、セルロース繊維間の水素結合から機械的強度を得る（ＭｃＱｕｅｅｎ−ＭａｓｏｎおよびＣｏｓｇｒｏｖｅ，１９９４）。
【００１９】
エクスパンシンは、単離した細胞壁がｐＨ依存性で伸長する能力を回復させることができ（ＭｃＱｕｅｅｎ−ＭａｓｏｎおよびＣｏｓｇｒｏｖｅ，１９９５）、植物における「酸成長」現象の原因である可能性がある（Ｓｈｃｈｅｒｂａｎら，１９９５）。エクスパンシンタンパク質は、キュウリ胚軸（ＭｃＱｕｅｅｎ−Ｍａｓｏｎら，１９９２）、オオムギ子葉鞘（Ｌｉら，１９９３）、伸長しているトマト葉（ＫｅｌｌｅｒおよびＣｏｓｇｒｏｖｅ，１９９５）、およびイネ節間（ＣｈｏおよびＫｅｎｄｅ，１９９７）において特徴付けられている。
【００２０】
エクスパンシンｃＤＮＡが多数の植物から単離および特徴付けられており、エクスパンシンが種間で高レベルの保存を示すマルチジーンファミリーとして存在することは現在明らかである。高度の相同性を有するｃＤＮＡが、Ａｒａｂｉｄｏｐｓｉｓおよびイネに由来するアノニマス（ａｎｏｎｙｍｏｕｓ）Ｅｘｐｒｅｓｓｉｏｎ  Ｓｅｑｕｅｎｃｅ  Ｔａｇ（ＥＳＴ）ｃＤＮＡの収集物から同定されている。これらのＥＳＴ  ｃＤＮＡはタンパク質配列レベルで高度の相同性（６０〜８７％）を示し、このことからエクスパンシンの構造は高度に保存されることがわかる（Ｓｈｃｈｅｒｂａｎら  １９９５）。エクスパンシンは、他の既知配列と配列類似性を示さないが、いくつかの花粉アレルゲンと配列類似性がある（Ｓｈｃｈｅｒｂａｎら  １９９５）。最近、Ｃｏｓｇｒｏｖｅら（１９９７）は、トウモロコシに由来する花粉アレルゲンもまた多量のエクスパンシン活性を有することを示した。
【００２１】
細胞壁においてエクスパンシンを過剰発現するように植物を改変することができれば、この植物の細胞伸長または成長は著しく増加することが予想される。逆に、エクスパンシン発現が低下すれば、細胞成長は減少するはずである。従って、ユーカリノキにおけるエクスパンシンの構成的発現により高さと節間長が小さくなることは、驚くべきことである。
【００２２】
エクスパンシン発現を改変する１つのアプローチは、組換えＤＮＡ配列の植物ゲノムへの導入によるものである。いくつかの方法を用いて外来ＤＮＡを植物細胞に導入することができる（Ｗｅｉｓｉｎｇら，１９８８；ＭｉｋｉおよびＩｙｅｒ，１９９０、ならびにＷａｌｄｅｎ  １９９４による概説を参照のこと）。恐らく、アグロバクテリウム・チュメファシエンス媒介遺伝子導入は、これらの方法のうち最も広く使用され、かつ用途の広い方法である（Ｗａｌｄｅｎ，１９９４）。
【００２３】
樹木の木質および紙質の変化に向けられた遺伝子組換え実験が、特に、細胞におけるリグニン経路と最終紙製品のリグニン含有量に注目している他の研究者達により調べられている（ＨａｗｋｉｎｓおよびＢｏｕｄｅｔ，１９９４；Ｇｒｉｍａ−Ｐｅｔｔｅｎａｔｉら，１９９３；Ｐｏｅｙｄｏｍｅｎｇｅら，１９９３；Ｂｏｕｄｅｔら，１９９５、およびＨｉｂｉｎｏら，１９９４）。本発明の目的は、繊維成長および細胞壁形態を制御する手段を提供しようとする点で異なる。
【００２４】
本発明の目的は、特定の用途に望ましい長さの繊維を産生するように樹木を改良することができる方法を提供することである。この方法により、林業者は生産物の品質を制御することができる。さらに、この方法により、林業者は、特定の場所での育成に申し分なく適しているとして選択することができる単一種または少数の種から、広範囲の繊維型を生産することができる。この方法は、単一の均一な植林計画を用いるという経済性と、特定の時期に必要とされる繊維がどのような型でも生産するという柔軟性をもたらす。
本発明はまた、成長周期の特定の期間にある樹木から特定の型の繊維を産生させる手段を提供する。例えば、幼木から長い繊維を産生させ、それにより、その作物を伐採するまでの時間を速めることができる。
【００２５】
本発明の方法は、最初に、異種および同種からのエクスパンシン遺伝子配列を単離および特徴付け、次いで、周知の過剰発現、コサプレッション（ＤＮＡＰにより欧州特許第０４６５５７２号および同第０６４７７１５号において説明される）、およびアンチセンスノックアウトストラテジーを用いて、これらの遺伝子を樹木に再導入してトランスジェニック樹木のエクスパンシンレベルを変えることにより達成される。本発明の方法により、紙製造にさらに適した樹木が育成される。
本発明は、繊維細胞壁の伸長を改良することができる遺伝子をコードする核酸コード配列を提供する。この核酸コード配列は、配列番号１〜６の１または複数である。
【００２６】
本発明はまた、樹木を形質転換して樹木の繊維特徴を改良する方法を提供する。この方法は、プロモーターと繊維細胞壁の伸長を改良することができる遺伝子をコードする核酸コード配列とを含むキメラ遺伝子を植物ゲノムに安定に組み込ませ、改変したゲノムを有する植物を再生することを含む。
本発明はまた、プロモーターと繊維細胞壁の伸長を改良することができる核酸コード配列とを含むキメラ遺伝子を有する樹木を提供する。
【００２７】
【００２７】
本発明はまた、細胞壁の伸長を改良することができるキメラ遺伝子を提供する。このキメラ遺伝子は、プロモーターと繊維細胞壁の伸長を改良することができる遺伝子をコードする核酸コード配列とを含む。前記核酸コード配列は、キュウリＥｘ２９コード配列（配列番号９）である。
前記キメラ遺伝子はターミネーターをさらに含むことが好ましい。
【００２８】
上記のＤＮＡ構造特性を有する構築物、ならびにこのような構築物および／または本発明によるキメラ遺伝子を組み込んだ樹木もまた、本発明の態様である。
繊維細胞壁の伸長を改良することができる核酸コード配列を含むキメラ遺伝子を含む植物細胞もまた本発明の態様である。本発明によるキメラ遺伝子を含む形質転換植物の種子もまた同様である。
【００２９】
前記キメラ遺伝子は前記核酸コード配列を含み、ゲノム中に存在するように内因性プロモーター、ターミネーター、イントロン、および他の調節配列が全部そろっていてもよいし、あるいは前記核酸コード配列は、イントロンと共にまたは無しで、異種プロモーター、ターミネーター、および／または他の調節配列と組み合わされてもよい。
【００３０】
前記プロモーターは、構成性プロモーター（例えば、カリフラワーモザイクウイルス３５Ｓプロモーター（ＣａＭＶ３５Ｓ）、カリフラワーモザイクウイルス１９Ｓプロモーター（ＣａＭＶ１９Ｓ）、またはノパリン合成酵素プロモーター）、組織特異的プロモーター（例えば、ｒｏｌＣ、パタチン、またはｐｅｔＥプロモーター）、あるいは誘導性プロモーター（例えば、ＡｌｃＲ／ＡｌｃＳ）でもよい。繊維関連プロモーターなどの他の適切なプロモーターは当業者に周知であろう。
【００３１】
前記核酸配列またはその一部を、正常なリーディングフレーム方向（すなわちセンス）または逆のリーディングフレーム方向（すなわちアンチセンス）で配置してもよい。センス、アンチセンス、またはコサプレッション技術を用いた、エクスパンシンタンパク質活性またはエクスパンシンタンパク質をコードする遺伝子のアップレギュレーションまたはダウンレギュレーションを用いて、繊維細胞壁の長さを変えることができる。
【００３２】
前記核酸配列は、エクスパンシンとして知られるタンパク質のクラスの１または複数をコードすることが好ましい。前記核酸配列はユーカリノキまたはキュウリに由来することがより好ましい。
【００３３】
前記核酸配列は、配列番号１〜６の１または複数であることが有利であり得る。あるいは、前記核酸配列は、キュウリエクスパンシン配列であるキュウリＥｘ２９（ＧｅｎＢａｎｋアクセッション番号Ｕ３０３８２−Ｃｓ−ＥＸＰ１として知られる）であり得る。前記配列はまた、Ｓｈｃｈｅｒａｂａｎら（１９９５）に記載される。
あるいは、前記核酸配列は、中程度にストリンジェントな条件下で（６５℃の２×ＳＳＣで洗浄）、配列番号１〜６またはキュウリＥｘ２９のいずれか１つにハイブリダイズするのに十分な相同性を有する配列でもよい。
前記核酸配列は、ｍＲＮＡまたはｃＤＮＡの配列であることが好ましいが、ゲノムＤＮＡでもよい。
【００３４】
本発明の方法を用いて適切に形質転換することができる樹木として、ユーカリノキ、アスペン、マツ、カラマツが挙げられる。
前記核酸配列を、既知の遺伝的形質転換技術（例えば、アグロバクテリウム・チュメファシエンス媒介形質転換、アグロバクテリウム・リゾジーン媒介形質転換、バイオリスティック、エレクトロポレーション、ケミカルポレーション（ｃｈｅｍｉｃａｌ  ｐｏｒａｔｉｏｎ）、マイクロインジェクション、またはシリコン繊維形質転換）のいずれかにより導入することができる。
【００３５】
本発明を容易に理解し、かつ容易に実行に移すことができるために、一例として、以下の図面を参照し本発明を詳述する。
【００３６】
実施例１
Ｅ．ｇｒａｎｄｉｓ茎組織からの新規エクスパンシン配列の単離
キュウリ胚軸からのＲＮＡ抽出。キュウリ（Ｃｕｃｕｍｉｓ  ｓａｔｉｖｕｓ  Ｌ．ｃｖ  Ｂｕｒｐｅｅ  ｐｉｃｋｅｒ、Ａ．Ｗ．Ｂｕｒｐｅｅ，Ｗｅｓｔｍｉｎｓｔｅｒ，Ｐｅｎｎ，ＵＳＡから入手）の種子を、プラスチックトレー（３５ｃｍ×２５ｃｍ×６ｃｍ）内にある水に浸したキャピラリーマッティング（ｃａｐｉｌｌａｒｙ  ｍａｔｔｉｎｇ）（Ｆｏｒｄｉｎｇｂｒｉｄｇｅ  Ｇｒｏｗｅｒｓ  Ｓｕｐｐｌｉｅｓ，Ａｒｕｎｄｅｌ，Ｗ．Ｓｕｓｓｅｘ，ＵＫ）の上にまき、２７℃、暗所で発芽させた。４日後、胚軸の上部２０ｍｍを切り取り液体窒素に入れることにより、黄化した芽生えを緑色光下で採集し、―８０℃に予め冷却させておいた乳棒およびモーターで微粉になるまですりつぶした。Ｖｅｒｗｏｅｒｄら（１９８９）の手順に従って、総ＲＮＡを熱いフェノール／塩化リチウム緩衝液中で抽出した。
【００３７】
Ｅｕｃａｌｙｐｔｕｓ  ｇｒａｎｄｉｓからのＲＮＡ抽出。Ｅ．ｇｒａｎｄｉｓ種子を、Ｌｅｖｉｎｇｔｏｎ  Ｆ２コンポスト（Ｌｅｖｉｎｇｔｏｎ  Ｈｏｒｔｉｃｕｌｔｕｒｅ  Ｌｔｄ．，Ｉｐｓｗｉｃｈ，Ｓｕｆｆｏｌｋ，ＵＫ）のトレイ（３５ｃｍ×２５ｃｍ×６ｃｍ）の上にまき、温室内で発芽させた（１８〜２４℃、約１０，０００ルクスの光度、１６時間の明期）。８週間後、これらの芽生えを個々の植木鉢に移し、次いで、必要であれば別の鉢に植え替えた（約６〜７週間毎）。成長している茎組織を、枝先端部の最後４０〜５０ｍｍから採集して、液体窒素に入れた。未成熟の葉（通常、成長している枝先端部の最も若い２つの葉）もまた直接採集して、液体窒素に入れた。根を数杯の水道水で洗浄し、蒸留水で洗浄し、次いで、成長している先端部を切り取って液体窒素に入れた。高濃度のフェノール化合物を含む植物からのＲＮＡ抽出について特に改良されたプロトコールを用いて、Ｐａｗｌｏｗｓｋｉら（１９９４）に記載のようにＲＮＡを抽出した。
【００３８】
Ｅ．ｇｒａｎｄｉｓ茎組織から抽出した総ＲＮＡからのポリ（Ａ+）ｍＲＮＡ単離。ポリ（Ａ+）ｍＲＮＡを、プッシュ（Ｓｔｒａｔａｇｅｎｅ，Ｃａｍｂｒｄｇｅ，ＵＫ）またはスピンオリゴ（ｄｔ）カラム（Ｃｌｏｎｔｅｃｈ  Ｌａｂｏｒａｔｏｒｉｅｓ，Ｉｎｃ．ＣＡ．，ＵＳＡ）のいずれかを用い、製造業者の説明書および推奨に従って、総ＲＮＡから単離した。
【００３９】
ＲＴ−ＰＣＲおよび配列決定。エクスパンシンの核酸配列は、かなりの程度の相違を示す。しかしながら、適度のコンセンサスを有する２つの領域を同定し、これらを用いて、複雑さが小さな２つのオリゴヌクレオチドプライマーを合成した（表２を参照のこと）。
【００４０】
総ＲＮＡを若い茎組織から抽出し、ポリ（Ａ+）ｍＲＮＡを上記のオリゴ（ｄｔ）カラムを用いて単離した。１μｇのｍＲＮＡを、２つのエクスパンシンコンセンサスプライマーおよびＴａｑ  ＤＮＡポリメラーゼ（Ｐｒｏｍｅｇａ  ＵＬ  Ｌｔｄ．）を用いるＰＣＲ実験（５０℃アニーリング温度、３０サイクル、ホットスタート）に使用した。
【００４１】
【表２】
0005030330.tif 000003
【００４２】
ｃＤＮＡライブラリー構築。第１鎖ｃＤＮＡ合成のために、１μｇのｍＲＮＡを、０．１５μｇ  ＯＧ１オリゴｄｔプライマーおよびＡＭＶ逆転写酵素（９単位／μｌ、Ｐｒｏｍｅｇａ  ＵＬ  Ｌｔｄ．，Ｓｏｕｔｈａｍｐｔｏｎ，ＵＫ）を用いた反応に使用した。
前記ライブラリーを、製造業者の説明書に従って、Ｌａｍｂｄａ  ＺＡＰ  ＩＩベクター（Ｓｔｒａｔａｇｅｎｅ，Ｃａｍｒｉｄｇｅ，ＵＫ）内で構築した。
【００４３】
記載の方法を用いて、形質転換クローンを、製造業者（Ｒ＆Ｄ  Ｓｙｓｔｅｍｓ）により説明された方法に従って寒天プレート上での青−白コロニー選択により単離した。２０個の白色（「陽性」）コロニーを選択し、配列決定した。ＮＣＢＩにより提供される基本的なＢＬＡＳＴ検索を用いて、これらのうち６個を、他の既知のエクスパンシン配列との類似性がある配列を含むものとして同定した。推定転写物は全て、サイズが約４５０ｂｐであった（ＰＣＲおよびゲル電気泳動により決定された）。ＰＣＲ産物を、フォワードプライマーを用いて配列決定し、配列番号１〜６として同定された配列を得た。
【００４４】
実施例２
ノザン分析
総ＲＮＡを、上記のようにＥ．ｇｒａｎｄｉｓの茎、葉、および根から単離した。２０μｌのＤＥＰＣ  Ｈ2Ｏに溶かした６μｇのＲＮＡを等量の変性溶液（５０％ホルムアミド、２×ＴＢＥ）中で変性させ、７５ボルトで２００分間、標準１．５％アガロースゲル上で走らせた。このゲルからのＲＮＡを、キャピラリートランスファーにより「Ｚｅｔａ−Ｐｒｏｂｅ」ＧＴ  Ｇｅｎｏｍｉｃ  Ｔｅｓｔｅｄ  Ｂｌｏｔｔｉｎｇ  Ｍｅｍｂｒａｎｅｓ（Ｂｉｏｒａｄ  Ｌａｂｏｒａｔｏｒｉｅｓ，Ｃａｌｉｆｏｒｎｉａ，ＵＳＡ）に移した。茎ｍＲＮＡからのＲＴ−ＰＣＲにより作成したＥ．ｇｒａｎｄｉｓエクスパンシン配列（上記）を、３２Ｐランダムプライム標識用に使用し、膜製造業者（Ｂｉｏｒａｄ  Ｌａｂｏｒａｔｏｒｉｅｓ）が推奨する方法に従って、移されたＲＮＡにハイブリダイズさせた。
【００４５】
実施例３
Ｅｘｐ２９形質転換ベクターの調製
キュウリ胚軸からのＲＮＡ抽出。キュウリ（Ｃｕｃｕｍｉｓ  ｓａｔｉｖｕｓ  Ｌ．ｃｖ  Ｂｕｒｐｅｅ  ｐｉｃｋｅｒ、Ａ．Ｗ．Ｂｕｒｐｅｅ，Ｗｅｓｔｍｉｎｓｔｅｒ，Ｐｅｎｎ，ＵＳＡから入手）の種子を、プラスチックトレー（３５ｃｍ×２５ｃｍ×６ｃｍ）内にある水に浸したキャピラリーマッティング（Ｆｏｒｄｉｎｇｂｒｉｄｇｅ  Ｇｒｏｗｅｒｓ  Ｓｕｐｐｌｉｅｓ，Ａｒｕｎｄｅｌ，Ｗ．Ｓｕｓｓｅｘ，ＵＫ）の上にまき、２７℃、暗所で発芽させた。４日後、胚軸の上部２０ｍｍを切り取り液体窒素に入れることにより、黄化した芽生えを緑色光下で採集し、―８０℃に予め冷却させておいた乳棒およびモーターで微粉になるまですりつぶした。Ｖｅｒｗｏｅｒｄら（１９８９）の手順に従って、総ＲＮＡを熱いフェノール／塩化リチウム緩衝液中で抽出した。
【００４６】
ベクター構築。キュウリＥｘ２９（ＧｅｎＢａｎｋアクセッション番号Ｕ３０３８２−Ｃｓ−ＥＸＰ１として知られる。Ｓｈｃｈｅｒｂａｎら  １９９５）のコード配列をＲＴ−ＰＣＲにより作成し、ヨーク大学Ｄｒ．Ｊｕｒｇｅｎ  Ｄｅｎｅｃｋｅにより快く提供されたベクターであるｐＤＥ３２６のカリラワーモザイクウイルス３５Ｓプロモーターとｎｏｓターミネーターとの間にクローニングした（図１を参照のこと）。Ｅｘ２９エクスパンシン配列を挿入した後、３５Ｓプロモーター領域内に位置するプライマーを用いて配列決定することにより、この挿入物を配列決定して、正しいインフレーム挿入について確認した。
【００４７】
３５Ｓプロモーター、Ｅｘ２９配列、およびｎｏｓターミネーターを含む挿入物を、ＥｃｏＲＩ制限部位とＨｉｎｄＩＩＩ制限部位との間で切断し、改良Ｔｉプラスミドに挿入して、形質転換構築物を作成した。２つの改良Ｔｉプラスミド：Ｄｒ．Ｊｕｒｇｅｎ  Ｄｅｎｅｃｋｅにより提供されたｐＤＥ１００１（Ｄｅｎｅｃｋｅら，１９９２またはＳｈｃｈｅｒｂａｎら  １９９５）およびｐ３５ＧＵＳＩＮＴ（Ｖａｎｃａｎｎｅｙｔら，１９９０）を使用した。挿入物を含む作成されたプラスミドを、プラスミド供給源を認める、ｐＤＥ／ＥＸＰ２９（ｐＤＥ１００１＋Ｅｘ２９）（図２を参照のこと）およびｐＡＴＣ／ＥＸＰ２９（ｐ３５ＧＵＳＩＮＴ＋Ｅｘ２９）（図３を参照のこと）と呼ぶ。
【００４８】
プラスミドを、標準的な手順によりＥ．ｃｏｌｉに移した。Ｅ．ｃｏｌｉ株を陽性選択用に適切な抗生物質を含むＬＰプレート上またはＬＢ培地中で増殖させた（３７℃でインキュベートし、４℃で貯蔵する）。
【００４９】
これらの構築物を、直接ＤＮＡ形質転換を介して、またはＥ．ｃｏｌｉ可動（ｍｏｂｉｌｉｓａｔｉｏｎ）機能のあるＨＢ１０１株（ｐＲＫ２０１３）（ＦｉｇｕｒｓｋｉおよびＨｅｌｉｎｓｋｉ  １９７９）を用いたトリペアレンタルメイティングによりアグロバクテリウムに導入した。
【００５０】
２つの株のアグロバクテリウム・チュメファシエンスを使用した。Ｄｒ．Ｊｕｒｇｅｎ  Ｄｅｎｅｃｋｅにより快く提供されたＣ５８株（Ｃ５８Ｃ１（ｐＧＶ２２６０）Ｄｅｂｌａｅｒｅ，Ｒら  １９８５）およびＥＨＡ１０５（Ｈｏｏｄら  １９９３）。アグロバクテリウムを、陽性選択用に適切な抗生物質を含むＬＢプレート上またはＬＢ培地中で増殖させた（２７℃でインキュベートし、４℃で貯蔵する）。
【００５１】
特許手続上の微生物の寄託の国際的承認に関するブタペスト条約により、Ａｄｖａｎｃｅｄ  Ｔｅｃｈｎｏｌｏｇｉｅｓ（Ｃａｍｂｒｉｄｇｅ）Ｌｉｍｉｔｅｄ，２１０  Ｃａｍｂｒｉｄｇｅ  Ｓｃｉｅｎｃｅ  Ｐａｒｋ，Ｃａｍｂｒｉｄｇｅ  ＣＢ４  ４ＷＡは、アグロバクテリウム・チュメファシエンス  ＥＨＡ１０５  ｐＡＴＣ／ＥＸＰ２９を、１９９８年８月２５日にアクセッション番号ＮＣＩＭＢ４０９６８で、Ｎａｔｉｏｎａｌ  Ｃｏｌｌｅｃｔｉｏｎ  ｏｆ  Ｉｎｄｕｒｔｒｉａｌ  ａｎｄ  Ｍａｒｉｎｅ  Ｂａｃｔｅｒｉａ（ＮＣＩＭＢ），２３  Ｓｔ．Ｍａｃｈａｒ  Ｓｔｒｅｅｔ，Ａｂｅｒｄｅｅｎ  Ｓｃｏｔｌａｎｄに寄託した。この微生物は、ｐＡＴＣ／ＥＸＰ２９を含む、アグロバクテリウム・チュメファシエンス：ＥＨＢ１０５株である。キュウリＥＸ２９  ｃＤＮＡを、３５Ｓカリラワーモザイクウイルスプロモーターおよびｎｏｓターミネーターを有する、無能化／無力化ｐＢＩＮ１９（Ｂｅｖａｎ，１９８４）に挿入した。次いで、このプラスミドを、アグロバクテリウム  ＥＨＢ１０５株に移した。この構築物は、繊維細胞壁の伸長を変えるのに有用である。
【００５２】
実施例４
植物形質転換
本発明者らの組織培養実験室内の培養室においてＭａｇｅｎｔａボックス（７ｃｍ×７ｃｍ×１３ｃｍ）内に入れたＬＢ培地上で２５℃で成長させた約４週齢のＥ．ｇｒａｎｄｉｓ培養物から、若い葉を切り、アグロバクテリウム媒介感染（Ｈｏｒｓｃｈ、Ｆｒｙ，Ｈｏｆｆｍａｎ，Ｅｉｃｈｈｏｌｔｚ，Ｒｏｇｅｒｓ，およびＦａｌｅｙ  １９８５）に使用した。接種した組織を放置して、培養室においてＬＳ培地（２０ｇ／ｌグルコース、０．７％アガロース、０．０１ｍＭゼアチン、１μＭ  ＮＡＡを加えた）上で４日間、散光下で共培養した（条件は従来どおりである）。形質転換体を、５０ｍｇ／ｌカナマイシンおよび２５０ｍｇ／ｌクラフォランにより選択した。
【００５３】
植物形質転換用の２つの構築物を調製し、２つのアグロバクテリウム株、Ｃ５８およびＥＨＡ１０５に導入して、ｐＤＥ＋Ｅｘ２９を含むＣ５８、ｐＡＴＣ＋Ｅｘ２９を含むＣ５８、およびｐＡＴＣ＋Ｅｘ２９を含むＥＨＡ１０５を得た。各構築物を含む株を用いて、Ｅ．ｇｒａｎｄｉｓ組織から切った４００枚の葉に接種した（２回に分けた。それぞれ２００枚を接種した）。
この形質転換実験を、さらに２４０枚の葉を用いて繰り返し、ｐＡＴＣ＋Ｅｘ２９を含むＥＨＡ１０５を接種して、得ることができる可能な形質転換体の量を増やした。
ＥＨＡ１０５を接種した組織の最初の集団から、２５の植物を温室で成長させ、シュートの性質を決定した。
【００５４】
３５ＳＣＡｍＶプロモーターに結合されたエクスパンシンコード配列の導入により、形質転換植物の植物の全高が、対照植物の平均対照値６０３ｍｍから５４６ｍｍに低下したと思われる。２５の植物の生存した植物のうち、この分析には４つの対照と１３のトランスジェニック植物が含まれた。このような高さの低下は、以下の表で分析されるように節間長の変化と関連する。表３のデータのカイ２乗分析から、２つの集団の植物は、Ｐ＜０．０１の値で有意に異なることがわかる。
【００５５】
【表３】
0005030330.tif 000004
【００５６】
このデータから、樹木のエクスパンシン活性レベルの改良を用いて、必要とされる効果を生じることができることは明らかである。成長を増加させるために、ダウンレギュレーション技術（例えば、エクスパンシン配列または部分センスエクスパンシン配列の逆鎖または相補鎖の発現）を用いて、繊維長を長くすることが必要であり得る。
【００５７】
実施例５
配列番号１〜６の配列をそれぞれ、両方向（すなわち、アンチセンス方向およびセンス方向）でｐＡＴＣに導入し、実施例３および４に記載のものと同じ方法を用いてユーカリノキおよびタバコを形質転換するために使用した。図４は、形質転換に用いられるプラスミドの見本として、センス方向のプラスミドｐＡＴＣ／配列番号１を示す。任意の適切な形質転換ベクターを使用することができる。
新規のエクスパンシン配列を導入することにより、対照植物とは異なる形質転換植物が作成されたことが見出された。
【００５８】
参考文献
Ｂａｍｂｅｒ  ＲＫ（１９８５）Ｔｈｅ  ｗｏｏｄ  ａｎａｔｏｍｙ  ｏｆ  Ｅｕｃａｌｙｐｔｓ  ａｎｄ  ｐａｐｅｒｍａｋｉｎｇ．Ａｐｐｉｔａ  ３８：２１０−２１６
Ｂｅｖａｎ  ＭＷ（１９８４）Ｂｉｎａｒｙ  Ａｇｒｏｂａｃｔｅｎｉｕｍ  ｖｅｃｔｏｒｓ  ｆｏｒ  ｐｌａｎｔ  ｔｒａｎｓｆｏｒｍａｔｉｏｎ．Ｎｕｃｉ．Ａｃｉｄ  Ｒｅｓ．１２，８７１−８７２１
【００５９】
Ｂｏｕｄｅｔ  ＡＭ，Ｌａｐｉｅｒｒｅ  Ｃ＋Ｇｒｉｍａ−Ｐｅｔｔｅｎａｔｉ  Ｊ（１９９５）Ｂｉｏｃｈｅｍｉｓｔｒｙ  ａｎｄ  ｍｏｌｅｃｕｌａｒ  ｂｉｏｌｏｇｙ  ｏｆ  ｌｉｇｎｉｆｉｃａｔｉｏｎ．Ｎｅｗ  Ｐｈｙｔｏｌ．Ｔａｎｓｌｅｙ  ｒｅｖ．８０，１２９  ２０３−２３６
Ｃａｒｐｉｔａ  ＮＣ，Ｇｉｂｅａｕｔ  ＤＭ（１９９３）Ｓｔｒｕｃｔｕｒａｌ  ｍｏｄｅｌｓ  ｏｆ  ｐｒｉｍａｒｙ  ｃｅｌｌ  ｗａｌｌｓ  ｉｎ  ｆｌｏｗｅｒｉｎｇ  ｐｌａｎｔｓ：ｃｏｎｓｉｓｔｅｎｃｙ  ｏｆ  ｍｏｌｅｃｕｌａｒ  ｓｔｒｕｃｔｕｒｅ  ｗｉｔｈ  ｔｈｅ  ｐｈｙｓｉｃａｌ  ｐｒｏｐｅｒｔｉｅｓ  ｏｆ  ｔｈｅ  ｗａｌｌｓ  ｄｕｒｉｎｇ  ｇｒｏｗｔｈ．Ｐｌａｎｔ  Ｊ  ３（１）：１−３０．
【００６０】
Ｃｈｏ  Ｈ−Ｔ，Ｋｅｎｄｅ  Ｈ（１９９７）Ｅｘｐａｎｓｉｎｓ  ｉｎ  ｄｅｅｐｗａｔｅｒ  ｒｉｃｅ  ｉｎｔｅｒｎｏｄｅｓ．Ｐｌａｎｔ  Ｐｈｙｓｉｏｌ  １１３  １１３７−１１４３
Ｃｈｏ  Ｈ−Ｔ，Ｋｅｎｄｅ  Ｈ（１９９７）Ｅｘｐａｎｓｉｎｓ  ａｎｄ  ｉｎｔｅｒｎｏｄａｌ  ｇｒｏｗｔｈ  ｏｆ  ｄｅｅｐｗａｔｅｒ  ｒｉｃｅ．Ｐｌａｎｔ  Ｐｈｙｓｉｏｌ  １１３  １１４５−１１５１
Ｃｏｓｇｒｏｖｅ  ＤＪ（１９９３）Ｗａｌｌ  ｅｘｔｅｎｓｉｂｉｌｉｔｙ  −ｉｔｓ  ｎａｔｕｒｅ，ｍｅａｓｕｒｅｍｅｎｔ  ａｎｄ  ｒｅｌａｔｉｏｎｓｈｉｐ  ｔｏ  ｐｌａｎｔ  ｃｅｌｌ  ｇｒｏｗｔｈ．Ｎｅｗ  Ｐｈｙｔｏｌ  １２４（１）：１−２３
【００６１】
Ｃｏｓｇｒｏｖｅ  ＤＪ（１９９６）Ｐｌａｎｔ  ｃｅｌｌ  ｅｎｌａｒｇｅｍｅｎｔ  ａｎｄ  ｔｈｅ  ａｃｔｉｏｎ  ｏｆ  ｅｘｐａｎｓｉｎｓ．ＢｉｏＥｓｓａｙｓ  １８（７）：５３３−５４０
Ｃｏｓｇｒｏｖｅ  ＤＪ，Ｂｅｄｉｎｇｅｒ  Ｐ．Ｄｕｒａｃｈｒｏ（１９９７）Ｇｒｏｕｐ  Ｉ  ａｌｌｏｇｅｎｓ  ｏｆ  ｇｒａｓｓ  ｐｏｌｌｅｎ  ａｓ  ｃｅｌｌ  ｗａｌｌ  ｌｏｏｓｅｎｉｎｇ  ａｇｅｎｔｓ．Ｐｒｏｃ．Ｎａｔ．Ａｃａｄ．Ｓｃｉ．ＵＳＡ  ９４  ６５５９−６５６４
Ｄｅｂｌａｅｒｅ，Ｒ．Ｂｙｔｅｂｉｅｒ，Ｂ．Ｄｅ  Ｇｒｅｖｅ，Ｈ．，ＤｅＢｏａｅｃｋ，Ｆ．，Ｓｃｈｅｌｌ，Ｊ．，Ｖａｎ  Ｍｏｎｔａｇｕ，Ｍ．Ｌｅｅｍａｎｓ，Ｊ．（１９８５）Ｅｆｆｉｃｉｅｎｔ  ｏｃｔｏｐｉｎｅ  Ｔ−ｐｌａｓｍｉｄ  ｖｅｃｔｏｒｓ  ｆｏｒ  Ａｇｒｏｂａｃｔｅｒｉｕｍ−ｍｅｄｉａｔｅｄ  ｇｅｎｅ  ｔｒａｎｓｆｅｒ  ｔｏ  ｐｌａｎｔｓ．Ｎｕｃｌ．Ａｃｉｄ．Ｒｅｓ．，１３，４７７７−４７８８
【００６２】
Ｄｅｎｅｃｋｅ  Ｊ．Ｒｙｃｋｅ  ＲＤ，Ｂｏｔｔｅｒｍａｎ  Ｊ（１９９２）Ｐｌａｎｔ  ａｎｄ  ｍａｍｍａｌｉａｎ  ｓｏｒｔｉｎｇ  ｓｉｇｎａｌｓ  ｆｏｒ  ｐｒｏｔｅｉｎ  ｒｅｔｅｎｔｉｏｎ  ｉｎ  ｔｈｅ  ｅｎｄｏｐｌａｓｍｉｃ  ｒｅｔｉｃｕｌｕｍ  ｃｏｎｔａｉｎ  ａ  ｃｏｎｓｅｒｖｅｄ  ｅｐｉｔｏｐｅ．Ｔｈｅ  ＥＭＢＯ  Ｊｏｕｒｎａｌ  １１（６）：２３４５−２３５５
Ｆｉｇｕｒｓｋｉ  Ｄ，Ｈｅｌｉｎｓｋｉ  ＤＲ（１９７９）Ｒｅｐｌｉｃａｔｉｏｎ  ｏｆ  ａｎ  ｏｒｉｇｉｎ−ｃｏｎｔａｉｎｉｎｇ  ｄｅｒｉｖａｔｉｖｅ  ｏｆ  ｐｌａｓｍｉｄ  ＲＫ２  ｄｅｐｅｎｄｅｎｔ  ｏｎ  ａ  ｐｌａｓｍｉｄ  ｆｕｎｃｔｉｏｎ  ｐｒｏｖｉｄｅｄ  ｉｎ  ｔｒａｎｓ．Ｐｒｏｃ．Ｎａｔ．Ａｃａｄ．Ｓｃｉ．ＵＳＡ，７６，１６４８−１６５２
【００６３】
Ｇｒｉｍａ−Ｐｅｔｔｅｎａｔｉ  Ｊ，Ｆｅｕｉｌｌｅｔ  Ｃ，Ｇｏｆｆｎｅｒ  Ｄ，Ｂｏｒｄｅｎｉｅｓ  Ｇ，Ｂｏｕｄｅｔ  ＡＭ（１９９３）Ｍｏｌｅｃｕｌａｒ  ｃｌｏｎｉｎｇ  ａｎｄ  ｅｘｐｒｅｓｓｉｏｎ  ｏｆ  ａ  Ｅｕｃａｌｙｐｔｕｓ  ｇｕｎｎｈｉ  ｃｌｏｎｅ  ｅｎｃｏｄｉｎｇ  ｃｉｎｎａｍｙｌ  ａｌｃｏｈｏｌ  ｄｅｈｙｄｒｏｇｅｎａｓｅ．Ｐｌａｎｔ  Ｍｏｌ  Ｂｉｏ  ２１：１０８５−１０９５
Ｈａｗｋｉｎｓ  ＳＷ，Ｂｏｕｄｅｔ  ＡＭ（１９９４）Ｐｕｒｉｆｉｃａｔｉｏｎ  ａｎｄ  ｃｈａｒａｃｔｅｒｉｓａｔｉｏｎ  ｏｆ  ｃｉｎｎａｍｙｌ  ａｌｃｏｈｏｌ  ｄｅｈｙｄｏｇｅｎａｓｅ  ｉｓｏｆｏｒｍｓ  ｆｒｏｍ  ｔｈｅ  ｐｅｒｉｄｅｒｍ  ｏｆ  Ｅｕｃａｌｙｐｔｕｓ  ｇｕｎｎｉｉ  Ｈｏｏｋ．Ｐｌａｎｔ  Ｐｈｙｓｉｏｌ  １０４：７５−８４
【００６４】
Ｈｅｒｒｅｒａ−Ｅｓｔｒｅｌｌａ  Ｉ，Ｄｅ  Ｂｌｏｃｋ  Ｍ，Ｍｅｓｓｅｎｓ  Ｅ，Ｈｅｒｎａｌｓｔｅｅｎｓ  ＪＰ，Ｖａｎ  Ｍｏｎｔａｇｕ  Ｍ，Ｓｃｈｅｌｌ  Ｊ（１９８３）Ｃｈｉｍｅｎｉｃ  ｇｅｎｅｓ  ａｓ  ｄｏｍｉｎａｎｔ  ｓｅｌｅｃｔａｂｌｅ  ｍａｒｋｅｒｓ  ｉｎ  ｐｌａｎｔ  ｃｅｌｌｓ．Ｔｈｅ  ＥＭＬＢＯ  Ｊｏｕｒｎａｌ  ２：９８７−９９５
Ｈｉｂｉｎｏ  Ｔ，Ｃｈｅｎ  Ｊ−Ｑ，Ｓｈｉｂａｔａ  Ｄ＋Ｍｉｇｕｃｈｉ  Ｔ（１９９４）Ｎｕｃｌｅｏｔｉｄｅ  ｓｅｑｕｅｎｃｅｓ  ｏｆ  ａ  Ｅｕｃａｌｙｐｔｕｓ  ｂｏｔｒｙｏｉｄｅｓ  ｇｅｎｅ  ｅｎｃｏｄｉｎｇ  ｄｉｎｎａｍｙｌ  ａｌｃｏｈｏｌ  ｄｅｈｙｄｒｏｇｅｎ．Ｐｌａｎｔ  Ｐｈｙｓｉｏｌ．１０４  ３０５−３０６
Ｈｏｏｄ  ＥＥ，Ｇｅｌｖｉｎ  ＳＢ，Ｍｅｌｃｈｅｒｉ  ＬＳ，Ｈｏｅｋｍａ  Ａ（１９９３）Ｎｅｗ  Ａｇｒｏｂａｃｔｅｒｉｕｍ  ｈｅｌｐｅｒ  ｐｌａｓｍｉｄｓ  ｆｏｒ  ｇｅｎｅ  ｔｒａｎｓｆｅｒ  ｔｏ  ｐｌａｎｔｓ．Ｔｒａｎｓｇｅｎｉｃ  Ｒｅｓ．２，２０８−２１８．
【００６５】
Ｈｏｒｓｃｈ  ＲＢ，Ｆｒｙ  ＪＥ，Ｈｏｆｆｍａｎ  ＮＬ，Ｅｉｃｈｈｏｌｔｚ  Ｄ，Ｒｏｇｅｒｓ  ＳＧ，Ｆｒａｌｅｙ  ＲＴ（１９８５）Ａ  ｓｉｍｐｌｅ  ａｎｄ  ｇｅｎｅｒａｌ  ｍｅｔｈｏｄ  ｆｏｒ  ｔｒａｎｓｆｅｒｒｉｎｇ  ｇｅｎｅｓ  ｉｎｔｏ  ｐｌａｎｔｓ．Ｓｃｉｅｎｃｅ  ２２７：１２２９−２１２３
Ｋｅｌｌｅｒ  Ｅ，Ｃｏｓｇｒｏｖｅ  ＤＪ（１９９５）Ｅｘｐａｎｓｉｎｓ  ｉｎ  ｇｒｏｗｉｎｇ  ｔｏｍａｔｏ  ｌｅａｖｅｓ．Ｐｌａｎｔ  Ｊ  ８：７９５−８０２
【００６６】
Ｌｉ  Ｚ−Ｃ，Ｄｕｒａｃｈｋｏ  ＤＭ，Ｃｏｓｇｒｏｖｅ  ＤＭ（１９９３）Ａｎ  ｏａｔ  ｃｏｌｅｏｐｔｉｌｅ  ｗａｌｌ  ｐｒｏｔｅｉｎ  ｔｈａｔ  ｉｎｄｕｃｅｓ  ｗａｌｌ  ｅｘｔｅｎｓｉｏｎ  ｉｎ  ｖｉｔｒｏ  ａｎｄ  ｔｈａｔ  ｉｓ  ａｎｔｉｇｅｎｉｃａｌｌｙ  ｒｅｌａｔｅｄ  ｔｏ  ａ  ｓｉｍｉｌａｒ  ｐｒｏｔｅｉｎ  ｆｒｏｍ  ｃｕｃｕｍｂｅｒ  ｈｙｐｏｃｏｔｙｌｓ．Ｐｌａｎｔａ  １９１：３４９−３５６
ＭｃＱｕｅｅｎ−Ｍａｓｏｎ  Ｓ（１９９５）Ｅｘｐａｎｓｉｎｓ  ａｎｄ  ｃｅｌｌ  ｗａｌｌ  ｅｘｐａｎｓｉｏｎ．Ｊ．Ｅｘｐ．Ｂｏｔ．Ｂ４６（２９２）：１６３９−１６５０
ＭｃＱｕｅｅｎ−Ｍａｓｏｎ  Ｓ，Ｃｏｓｇｒｏｖｅ  ＤＪ（１９９３）Ｃｕｃｕｍｂｅｒ  ｅｘｐａｎｓｉｎｓ  ｄｉｓｒｕｐｔ  ｈｙｄｒｏｇｅｎ−ｂｏｎｄｓ  ｂｅｔｗｅｅｎ  ｃｅｌｌｕｌｏｓｅ  ｆｉｂｅｒｓ  ｉｎ  ｖｉｔｒｏ．Ｐｌａｎｔ  Ｐｈｙｓｉｏｌ  １０２（１）：１２２
【００６７】
ＭｃＱｕｅｅｎ−Ｍａｓｏｎ  Ｓ，Ｃｏｓｇｒｏｖｅ  ＤＪ（１９９４）Ｄｉｓｒｕｐｔｉｏｎ  ｏｆ  ｈｙｄｒｏｇｅｎ  ｂｏｎｄｉｎｇ  ｂｅｔｗｅｅｎ  ｐｌａｎｔ  ｃｅｌｌ  ｗａｌｌ  ｐｏｌｙｍｅｒｓ  ｂｙ  ｐｒｏｔｅｉｎｓ  ｔｈａｔ  ｉｎｄｕｃｅ  ｗａｌｌ  ｅｘｔｅｎｓｉｏｎ．Ｐｒｏｃ  Ｎａｔｌ  Ａｃａｄ  Ｓｃｉ  ＵＳＡ９１：６５７４−６５７８
ＭｃＱｕｅｅｎ−Ｍａｓｏｎ  Ｓ，  Ｃｏｓｇｒｏｖｅ  ＤＪ（１９９５）Ｅｘｐａｎｓｉｎ  ｍｏｄｅ  ｏｆ  ａｃｔｉｏｎ  ｏｎ  ｃｅｌｌ  ｗａｌｌｓ;Ａｎａｌｙｓｉｓ  ｏｆ  ｗａｌｌ  ｈｙｄｏｌｙｓｉｓ，ｓｔｒｅｓｓ  ｒｅｌａｘｔｉｏｎ  ａｎｄ  Ｂｉｎｄｉｎｇ．Ｐｌａｎｔ  Ｐｈｙｓｉｏｌ  １０７：８７−１００
【００６８】
ＭｃＱｕｅｅｎ−Ｍａｓｏｎ  Ｓ，Ｄｕｒａｃｈｋｏ  ＤＭ，Ｃｏｓｇｒｏｖｅ  ＤＪ（１９９２）Ｔｗｏ  ｅｎｄｏｇｅｎｏｕｓ  ｐｒｏｔｅｉｎｓ  ｔｈａｔ  ｉｎｄｕｃｅ  ｃｅｌｌ  ｗａｌｌ  ｅｘｔｅｎｓｉｏｎ  ｉｎ  ｐｌａｎｔｓ．Ｐｌａｎｔ  Ｃｅｌｌ  ４：１４２５−１４３３
Ｍｉｋｉ  ＢＬＡ，Ｉｙｅｒ  ＶＮ（１９９０）Ｆｕｎｄａｍｅｎｔａｌｓ  ｏｆ  ｇｅｎｅ  ｔｒａｎｓｆｅｒ  ｉｎ  ｐｌａｎｔｓ．Ｉｎ：Ｄｅｎｎｉｓ  ＤＴ，Ｔｕｒｐｉｎ  ＤＨ（編）Ｐｌａｎｔ  Ｐｈｙｓｉｏｌｏｇｙ，Ｂｉｏｃｈｅｍｉｓｔｒｙ  ａｎｄ  Ｍｏｌｅｃｕｌａｒ  Ｂｉｏｌｏｇｙ，第１版．Ｌｏｎｇｍａｎ  Ｓｃｉｅｎｔｉｆｉｃ  ＆  Ｔｅｃｈｎｉｃａｌ  Ｐｕｂｌｉｓｈｅｒｓ，ＵＫ
【００６９】
Ｐａｗｌｏｗｓｋｉ  Ｋ，Ｋｕｎｚｅ  Ｒ，Ｄｅ  Ｖｒｉｅｓ  Ｓ，Ｂｉｓｓｅｌｉｎｇ  Ｔ（１９９４）Ｉｓｏｌａｔｉｏｎ  ｏｆ  ｔｏｔａｌ，ｐｏｌｙ（Ａ）  ａｎｄ  ｐｏｌｙｓｏｍａｌ  ＲＮＡ  ｆｒｏｍ  ｐｌａｎｔ  ｔｉｓｓｕｅｓ．Ｋｌｕｗｅｒ  Ａｃａｄｅｍｉｃ  Ｐｕｂｌｉｓｈｅｒｓ，Ｂｅｌｇｉｕｍ
Ｐｏｅｙｄｏｍｅｎｇｅ  Ｏ，Ｂｏｕｄｅｔ  ＡＭ，Ｇｒｉｍａ−Ｐｅｔｔｅｎａｔｉ  Ｊ（１９９４）Ａ  ｃＤＮＡ  ｅｎｃｏｄｉｎｇ  Ｓ−ａｄｅｎｏｓｙｌ−Ｌ−ｍｅｔｈｉｏｎｉｎ：ｃａｆｆｅｉｃ  ａｃｉｄ  ３−Ｏ‐ｍｅｔｈｙｌｔｒａｎｓｆｅｒａｓｅ  ｆｒｏｍ  Ｅｕｃａｌｙｐｔｕｓ．Ｐｌａｎｔ  Ｐｈｙｓｉｏｌ  １０５：７４９−７５０
Ｒａｎａｔｕｎｇａ  ＭＳ（１９６４）Ａ  ｓｔｕｄｙ  ｏｆ  ｔｈｅ  ｆｉｂｒｅ  ｌｅｎｇｔｈｓ  ｏｆ  Ｅｕｃａｌｙｐｔｕｓ  ｇｒａｎｄｉｓ  ｇｒｏｗｎ  ｉｎ  Ｃｅｙｌｏｎ．Ｃｅｙｌｏｎ  Ｆｏｒ  ６：１０１−１１２
【００７０】
Ｓｈｃｈｅｒｂａｎ  ＴＹ，Ｓｈｉ  Ｊ，Ｄｕｒａｃｈｋｏ  ＤＭ，Ｇｕｉｌｔｉｎａｎ  ＭＪ，ＭｃＱｕｅｅｎ−Ｍａｓｏｎ  Ｓ，Ｓｈｉｅｈ  Ｍ，Ｃｏｓｇｒｏｖｅ  ＤＪ（１９９５）Ｍｏｌｅｃｕｌａｒ  ｃｌｏｎｉｎｇ  ａｎｄ  ｓｅｑｕｅｎｃｅ  ａｎａｌｙｓｉｓ  ｏｆ  ｅｘｐａｎｓｉｎｓ−Ａ  ｈｉｇｈｌｙ  ｃｏｎｓｅｒｖｅｄ  ａｎｄ  ｍｕｌｔｉｇｅｎｅ  ｆａｍｉｌｙ  ｏｆ  ｐｒｏｔｅｉｎｓ  ｔｈａｔ  ｍｅｄｉａｔｅ  ｃｅｌｌ  ｗａｌｌ  ｅｘｔｅｎｓｉｏｎ  ｉｎ  ｐｌａｎｔｓ．Ｐｒｏｃ．Ｎａｔｌ  Ａｃａｄ  Ｓｃｉ  ＵＳＡ  ９２：９２４５−９２４９
【００７１】
Ｓｅｔｈ  ＲＳ（１９９５）Ｔｈｅ  ｅｆｆｅｃｔ  ｏｆ  ｆｉｂｒｅ  ｌｅｎｇｔｈ  ａｎｄ  ｃｏａｒｓｅｎｅｓｓ  ｏｎ  ｔｈｅ  ｔｅｎｓｉｌｅ  ｓｔｒｅｎｇｔｈ  ｏｆ  ｗｅｔ  ｗｅｂｓ：ａ  ｓｔａｔｉｓｔｉｃａｌ  ｇｅｏｍｅｔｒｙ  ｅｘｐｌａｎａｔｉｏｎ．Ｔａｐｐｉ  Ｊ  ７８（３）９９−１０２
Ｓｔｅｗａｒｔら（１９９４）
Ｖａｎｎｃａｎｎｅｙｔ，Ｇ，Ｓｃｈｍｉｄｔ，Ｒ．，Ｏ'Ｃｏｎｎｏｒ−Ｓａｎｃｈｅｚ  Ａ，Ｗｉｌｌｍｉｔｚｅｒ  Ｌ，Ｒｏｃｈａ−Ｓｏｓａ  Ｍ（１９９０）Ｃｏｎｓｔｒｕｃｔｉｏｎ  ｏｆ  ａｎ  ｉｎｔｒｏｎ−ｃｏｎｔａｉｎｉｎｇ  ｍａｒｋｅｒ  ｇｅｎｅ：Ｓｐｌｉｃｉｎｇ  ｏｆ  ｔｈｅ  ｉｎｔｒｏｎ  ｉｎ  ｔｒａｎｓｇｅｎｉｃ  ｐｌａｎｔｓ  ａｎｄ  ｉｔｓ  ｕｓｅ  ｉｎ  ｍｏｎｉｔｏｒｉｎｇ  ｅａｒｌｙ  ｅｖｅｎｔｓ  ｉｎ  Ａｇｒｏｂａｃｔｅｒｉｕｍ−ｍｅｄｉａｔｅｄ  ｐｌａｎｔ  ｔｒａｎｓｆｏｒｍａｔｉｏｎ．Ｍｏｌ．Ｇｅｎ．Ｇｅｎｅｔ．２２０，２４５−２５０
Ｖｅｒｈａｅｇｅｎ，Ｄ，Ｐｌｏｍｉｏｎ  Ｃ（１９９６）Ｇｅｎｅｔｉｃ  ｍａｐｐｉｎｇ  ｉｎ  Ｅｕｃａｌｙｐｔｕｓ  ｕｒｏｐｈｙｌｌａ  ｕｓｉｎｇ  ＲＡＰＤ  ｍａｒｋｅｒｓ．Ｇｅｎｏｍｅ  ３９：１０５１−１０６１
【００７２】
Ｖｅｒｗｏｅｒｄ  ＴＣ，Ｄｅｋｋｅｒ  ＢＭＭ，Ｈｏｅｋｅｍａ  Ａ（１９８９）Ａ  ｓｍａｌｌ  ｓｃａｌｅ  ｐｒｏｃｅｄｕｒｅ  ｆｏｒ  ｔｈｅ  ｒａｐｉｄ  ｉｓｏｌａｔｉｏｎ  ｏｆ  ｐｌａｎｔ  ＲＮＡｓ．Ｎｕｃｌｅｉｃ  Ａｃｉｄｓ  Ｒｅｓ．１７（６）：２３６２
Ｗａｌｄｅｎ  Ｒ（１９９４）Ｃｅｌｌ  Ｃｕｌｔｕｒｅ，Ｔｒａｎｓｆｏｒｍａｔｉｏｎ  ａｎｄ  Ｇｅｎｅ  Ｔｅｃｈｎｏｌｏｇｙ．Ｉｎ：Ｌｅａ  ＰＪ，Ｌｅｅｇｏｏｄ  ＲＣ（編）Ｐｌａｎｔ  Ｂｉｏｃｈｅｍｉｓｔｒｙ  ａｎｄ  Ｍｏｌｅｃｕｌａｒ  Ｂｉｏｌｏｇｙ，第１版．Ｊｏｈｎ  Ｗｉｌｅｙ  ＆  Ｓｏｎｓ  Ｌｔｄ．，Ｌｏｎｄｏｎ  Ｗｅｉｓｉｎｇ  Ｋ，Ｓｃｈｅｌｌ，Ｊ，Ｋａｈｌ  Ｇ．（１９８８）Ｆｏｒｅｉｇｎ  ｇｅｎｅｓ  ｉｎ  ｐｌａｎｔｓ：ｔｒａｎｓｆｅｒ，ｓｔｒｕｃｔｕｒｅ，ｅｘｐｒｅｓｓｉｏｎ  ａｎｄ  ａｐｐｌｉｃａｔｉｏｎｓ．Ａｎｎ．Ｒｅｖ．Ｇｅｎｅｔ．２２４２１−４７７
【図面の簡単な説明】
【図１】    ベクターｐＤＥ３２６のカリフラワーモザイクウイルス３５Ｓプロモーターとｎｏｓターミネーターとの間にクローニングされたキュウリＥｘ２９コード配列を示す図である。
【図２】  図１の挿入物を改良ＴｉプラスミドｐＤＥ１００１のＲｃｏＲＩとＨｉｎｄＩＩＩ制限部位との間に導入して作成したｐＤＥ／ＥＸＰ２９を示す図である。
【図３】  図１の挿入物を改良Ｔｉプラスミドｐ３５ＧＵＳＩＮＴのＥｃｏＲＩとＨｉｎｓＩＩＩ制限部位との間に導入して作成したｐＡＴＣ／ＥＸＰ２９を示す図である。
【図４】  配列番号１を含む挿入物を改良Ｔｉプラスミドｐ３５ＧＵＳＩＮＴのＥｃｏＲＩとＨｉｎｄＩＩＩ制限部位との間に導入して作成したｐＡＴＣ／配列番号１を示す図である。
【図１】
0005030330.tif 000005
【図２】
0005030330.tif 000006
【図３】
0005030330.tif 000007
【図４】
0005030330.tif 000008
【配列表】
0005030330000001.app